(57)【要約】      （修正有）【課題】  デイトレーダーの様な秒単位で株の売買をしなくてはならないユーザーに操作が簡便で適切なデータを提供する。【解決手段】  準備段階として、各プログラムをコンピュータにインストールする第１手段と、ＲＳＳリーダーを起動し、前記各プログラムを起動しリアルタイム株価情報を更新し、株価情報をリセットする第２手段と、国内の一部の市場一部の銘柄または全市場全銘柄を一つ又は、複数に収めたＲＳＳ対応のデータベースにＲＳＳリーダーを使用し、国内の一部の市場一部の銘柄または全市場全銘柄の一部または全ての株価情報欄にリアルタイム株価情報を瞬時に更新する第３手段と、該リアルタイム株価情報から必要なパラメータを抽出する為に計算加工をし、該リアルタイム株価情報と該パラメータを時系列として記録する第４手段と、第４手段の該プログラムを数秒から１２０秒程度の一定間隔で自動制御し、動かす第５手段とする各プログラムからなる。【選択図】図４
2007157096.tif 000002
【特許請求の範囲】
【請求項１】
コンピュータを次の各手段として機能させる為のプログラムであり、即ち、前記各手段は、準備段階として、前記各手段を有するプログラムをコンピュータにインストールする事を第１手段とするプログラムと、インターネットに接続したあとＲＳＳリーダーを起動し、前記各手段を有するプログラムを起動しリアルタイム株価情報を更新し、株価情報をリセットするボタンをマウス又は、ショートカットキーを使用し押して準備をする事を第２手段とするプログラムと、国内の一部の市場一部の銘柄または全市場全銘柄を一つ又は、複数に収めたＲＳＳ対応のデータベースにＲＳＳリーダーを使用し、国内の一部の市場一部の銘柄または全市場全銘柄の一部または全ての株価情報欄にリアルタイム株価情報を瞬時に更新する事を第３手段とするプログラムと、該リアルタイム株価情報から必要なパラメータを抽出する為に計算加工をし、該リアルタイム株価情報と該パラメータを時系列として記録する事を第４手段とするプログラムと、第４手段の該プログラムを数秒から１２０秒程度の一定間隔で自動制御し、動かす事を第５手段とするプログラムを含む、デイトレーダー向け株式投資支援プログラム。
【請求項２】
コンピュータを次の各手段として機能させる為のプログラムであり、即ち、前記各手段は、準備段階として、前記各手段を有するプログラムをコンピュータにインストールする事を第１手段とするプログラムと、インターネットに接続したあとＲＳＳリーダーを起動し、前記各手段を有するプログラムを起動しリアルタイム株価情報を更新し、株価情報をリセットするボタンをマウス又は、ショートカットキーを使用し押して準備をする事を第２手段とするプログラムと、国内の一部の市場一部の銘柄または全市場全銘柄を一つ又は、複数に収めたＲＳＳ対応のデータベースにＲＳＳリーダーを使用し、国内の一部の市場一部の銘柄または全市場全銘柄の一部または全ての株価情報欄にリアルタイム株価情報を瞬時に更新する事を第３手段とするプログラムと、該リアルタイム株価情報から必要なパラメータとして前場予想出来高比・後場予想出来高比・瞬間予想出来高比の各比率を設け抽出する為の計算加工をし、該リアルタイム株価情報と該パラメータを時系列として記録する事を第４手段とするプログラムと、第４手段の該プログラムを数秒から１２０秒程度の一定間隔で自動制御し動かす事を第５手段とするプログラムを含む、デイトレーダー向け株式投資支援プログラム。
【請求項３】
コンピュータを次の各手段として機能させる為のプログラムであり、即ち、前記各手段は、準備段階として、前記各手段を有するプログラムをコンピュータにインストールする事を第１手段とするプログラムと、インターネットに接続したあとＲＳＳリーダーを起動し、前記各手段を有するプログラムを起動しリアルタイム株価情報を更新し、株価情報をリセットするボタンをマウス又は、ショートカットキーを使用し押して準備をする事を第２手段とするプログラムと、国内の一部の市場一部の銘柄または全市場全銘柄を一つ又は、複数に収めたＲＳＳ対応のデータベースにＲＳＳリーダーを使用し、国内の一部の市場一部の銘柄または全市場全銘柄の一部または全ての株価情報欄にリアルタイム株価情報を瞬時に更新する事を第３手段とするプログラムと、該リアルタイム株価情報から必要なパラメータを抽出する為に計算加工をし、該リアルタイム株価情報と該パラメータを時系列として記録する事を第４手段とするプログラムと、第４手段の前場予想出来高比・後場予想出来高比・瞬間予想出来高比の各パラメータの計算加工プログラムを数秒から１２０秒程度の一定間隔で自動制御し動かす事により、前場予想出来高比・後場予想出来高比・瞬間予想出来高比を数秒から１２０秒程の間隔で抽出したり、瞬間予想出来高・出来高・現在比・等を時系列として記録する事を第５手段とするプログラムを含む、デイトレーダー向け株式投資支援プログラム。
【発明の詳細な説明】
【技術分野】
【０００１】  本発明は、デイトレーダー向け投資支援プログラムに関する。
【背景技術】
【０００２】  株式投資支援プログラムは、インターネットの発展やインターネット証券会社等がサービスの提供を開始してから、種々のプログラムが作られている、なお、先行する提案としては、特許文献１の様なものがある。
【特許文献１】  特開平２００５−１８７２４号
【発明の開示】
【発明が解決しようとする課題】
【０００３】  従来の投資支援プログラムは、すべての銘柄に対しインターネットを巡回し、株価情報を入手する方法が当たり前であった、それ故、特定銘柄を選択しておいて限定された銘柄に対してのリアルタイム株価情報の入手が通常の手段であったが、図６で示すＲＳＳを利用する事によりインターネット経由で株価情報をこちらから銘柄ごとにアクセスする事も無く市場が開かれている間、本発は明国内全市場全銘柄の巨大なデータベースに一斉に必要な株価情報を自動で更新する様にした、大量の株価情報のデータをユーザーが直接手入力する事も無く常に全ての株価情報が自動で最新の情報に置き換えられる、国内全市場全銘柄の巨大なデータベースを利用する事により広範囲の銘柄からより良い銘柄を瞬時に選択する事が出来る様ＲＳＳ対応の巨大なデータベースのプログラムをデイトレーダーに提供する事を第１の目的とする。【０００４】  従来のプログラムは、インターネットにアクセスし、特定の株式銘柄の株価情報にアクセスし、取得し、それを一つ一つ手入力をし、日に一度二度の計算加工を手動で行い必要なデータを得ていた、一つの銘柄についても沢山の画面をコントロールしてデータを利用する為、売買を秒単位で行わなくてはならない等のデイトレーダーにとって大きなロスタイムがあった、それ故、秒単位で株式売買をするデイトレーダーには不向きである、本発明はリアルタイム株価情報から必要なパラメータとして前場予想出来高比・後場予想出来高比・瞬間予想出来高比の各比率を出す計算式を設け、手間の要らない、見易く信頼性の高いデータを瞬時にデイトレーダーに提供する為のプログラムを提供する事を第２の目的とする。【０００５】  本発明は、ユーザーが知識や経験が無くても瞬時に判りやすい前場予想出来高比・後場予想出来高比・瞬間予想出来高比の各パラメータを抽出する為の計算式や加工プログラムを数秒から１２０秒程度の一定間隔で自動制御し動かす事により、該前場予想出来高比・該後場予想出来高比・該瞬間予想出来高比を数秒から１２０秒程の間隔で抽出したり、瞬間予想出来高・出来高・現在比・等を時系列として記録する事を事により、より信頼出来る比率を利用する事で簡便で実用的なプログラムの提供を第３の目的とする。
【課題を解決するための手段】
【０００６】    上述した目的を達成する手段として、本願の第１の発明は、請求項１・２・３に記載した第３手段から、全市場約全銘柄を収めたデータベースとし、インターネットに接続し、ＲＳＳを利用する、ＲＳＳとは下記する通りであり本発明は以下で述べるＲＳＳ（「Ｒｉｃｈ  Ｓｉｔｅ  Ｓｕｍｍａｒｙ」の略）を利用して成り立つ発明である。【０００７】  ＲＳＳ図６とはニュースサイトで「ＲＳＳ」と言う表記をよく目にするようになったが、ブログをきっかけに広まった技術であり、従来はブラウザのお気に入りに沢山のブラウザを登録して頻繁にチェックしていた、しかし、これだけ情報があふれている中、全てのサイトに巡回して情報をチェックする方法はロスタイムが大きい、いざ訪れてみても新しい情報はあったが、欲しい情報は無かったと言う事がある、情報が氾濫しているＷｅｂサイトを巡回して確認すると言うやり方では大変効率が悪い、ＲＳＳとは登録したサイトの更新した情報を取得したり、どの様に更新されたかを知る為に登場した技術であり、情報収集に非常に便利な技術である。（ソーテック社、ＲＳＳ徹底活用ガイド、より）【０００８】    上述した第１の目的を達成する手段として、本発明はコンピュータを次の各手段として機能させる為のプログラムであり、即ち、前記各手段は、準備段階として、前記各手段を有するプログラムをコンピュータにインストールする事を第１手段とするプログラムと、インターネットに接続したあとＲＳＳリーダーを起動し、前記各手段を有するプログラムを起動しリアルタイム株価情報を更新し、株価情報をリセットするボタンをマウス又は、ショートカットキーを使用し押して準備をする事を第２手段とするプログラムと、国内の一部の市場一部の銘柄または全市場全銘柄を一つ又は、複数に収めたＲＳＳ対応のデータベースにＲＳＳリーダーを使用し、国内の一部の市場一部の銘柄または全市場全銘柄の一部または全ての株価情報欄にリアルタイム株価情報を瞬時に更新する事を第３手段とするプログラムと、該リアルタイム株価情報から必要なパラメータを抽出する為に計算加工をし、該リアルタイム株価情報と該パラメータを時系列として記録する事を第４手段とするプログラムと、第４手段の該プログラムを数秒から１２０秒程度の一定間隔で自動制御し、動かす事を第５手段とからなっている。【０００９】    上述した第２の目的を達成する手段として、コンピュータを次の各手段として機能させる為のプログラムであり、即ち、前記各手段は、準備段階として、前記各手段を有するプロクラムをコンピュータにインストールする事を第１手段とするプログラムと、インターネットに接続したあとＲＳＳリーダーを起動し、前記各手段を有するプログラムを起動しリアルタイム株価情報を更新し、株価情報をリセットするボタンをマウス又は、ショートカットキーを使用し押して準備をする事を第２手段とするプログラムと、国内の一部の市場一部の銘柄または全市場全銘柄を一つ又は、複数に収めたＲＳＳ対応のデータベースにＲＳＳリーダーを使用し、国内の一部の市場一部の銘柄または全市場全銘柄の一部または全ての株価情報欄にリアルタイム株価情報を瞬時に更新する事を第３手段とするプログラムと、該リアルタイム株価情報から必要なパラメータとして前場予想出来高比・後場予想出来高比・瞬間予想出来高比の各比率を設け抽出する為の計算加工をし、該リアルタイム株価情報と該パラメータを時系列として記録する事を第４手段とするプログラムと、第４手段の該プログラムを数秒から１２０秒程度の一定間隔で自動制御し動かす事を第５手段とからなっている。【００１０】    上述した第２の目的を達成する手段として、コンピュータを次の各手段として機能させる為のプログラムであり、即ち、前記各手段は、準備段階として、前記各手段を有するプログラムをコンピュータにインストールする事を第１手段とするプログラムと、インターネットに接続したあとＲＳＳリーダーを起動し、前記各手段を有するプログラムを起動しリアルタイム株価情報を更新し、株価情報をリセットするボタンをマウス又は、ショートカットキーを使用し押して準備をする事を第２手段とするプログラムと、国内の一部の市場一部の銘柄または全市場全銘柄を一つ又は、複数に収めたＲＳＳ対応のデータベースにＲＳＳリーダーを使用し、国内の一部の市場一部の銘柄または全市場全銘柄の一部または全ての株価情報欄にリアルタイム株価情報を瞬時に更新する事を第３手段とするプログラムと、該リアルタイム株価情報から必要なパラメータを抽出する為に計算加工をし、該リアルタイム株価情報と該パラメータを時系列として記録する事を第４手段とするプログラムと、第４手段の前場予想出来高比・後場予想出来高比・瞬間予想出来高比の各パラメータの計算加工プログラムを数秒から１２０秒程度の一定間隔で自動制御し動かす事により、前場予想出来高比・後場予想出来高比・瞬間予想出来高比を数秒から１２０秒程の間隔で抽出したり、瞬間予想出来高・出来高・現在比・等を時系列として記録する事を第５手段とからなっている。
【発明の効果】
【００１１】  上記した本発明によれば、次のような効果が得られる。
請求項１によれば、図６で示すＲＳＳを利用する事によりインターネット経由で株価情報をユーザー側から銘柄ごとにアクセスする事も無く市場が開かれている間、本発明の国内全市場全銘柄の巨大なデータベースに一斉に必要な株価情報を自動で更新する様にした事により、大量の株価情報のデータをユーザーが直接手入力する事も無く常に全ての株価情報が自動で最新の情報に置き換えられる、国内全市場全銘柄の巨大なデータベースを利用する事により広範囲の銘柄からより良い銘柄を瞬時に選択する事が出来るのである。【００１２】  請求項２によれば、従来のプログラムは、本発明はリアルタイム株価情報から必要なパラメータとして前場予想出来高比１０・後場予想出来高比１１・瞬間予想出来高比１２の各比率とその計算式を設け、手間の要らない、見易く信頼性の高いデータを瞬時に抽出できる。【００１３】  請求項３によれば、本発明は、ユーザーが知識や経験が無くても瞬時に判りやすい前場予想出来高比１０・後場予想出来高比１１・瞬間予想出来高比１２の各パラメータを抽出する為の計算式や加工プログラムを数秒から１２０秒程度の一定間隔で自動制御し動かす事により、該前場予想出来高比１０・該後場予想出来高比１１・該瞬間予想出来高比１２を数秒から１２０秒程の間隔で抽出したり、瞬間予想出来高比１２・出来高３３・前日比２４・等を時系列化して示す事により、より簡便で実用的で信頼出来るデータを瞬時に瞬時に提供できる。
【発明を実施するための最良の形態】  〈本発明の形態を図１〜図６に基づいての説明〉【００１４】  本発明は、市場が開かれている間、何の操作の必要も無く自動で必要なリアルタイム株価情報を常に取得しておけるＲＳＳリーダープログラムを内蔵したデータベースとした、そのため発明に収められている国内全市場全銘柄は常に最新の株価情報に置き換えられる事となっている、その為本発明は株価情報の手入力は一切必要の無いデータベースシステムとなっている、予め特定の銘柄を選んでテクニカル分析をするとか、またデータを入力するとかの必要が無く簡便なプログラムからなっている。【００１５】  第３の発明は、第５手段で示すよう、全市場全銘柄の最新の株価情報が常に更新されている状態のなかで前場予想出来高比・後場予想出来高比・瞬間予想出来高比の計算加工や前日比時系列の記録を数秒から１２０秒程度の一定間隔で自動で行わせるプログラムを採用した、ユーザーは熟練した技量や知識が無くても、簡単に注目株に市場が始まって２・３分で気付く事となる、そして、前日比時系列で、前記した銘柄が上昇トレンドか下降トレンドかが簡便に判断できるプログラムからなっている。【００１６】  第４の発明は、前場予想出来高比１０・後場予想出来高比１１・瞬間予想出来高比１２の並べ替えの作業は、データベースの各株価情報やパラメータ表示部の最上部に位置するボタン１９・２０・２１をマウス又はショートカットキーで押し、全て一つの画面の中で行える、ユーザーは多数の銘柄の中から良い数値が出るものを監視しているだけで良く、扱いが簡便で秒単位で株の取引をするデイトレーダー向きの投資支援プログラムとなっている。【００１７】  〈次に、実施するための形態と本発明が利用するＲＳＳについて図６に基づいて説明する〉
本発明によれば、以下で述べるＲＳＳ（「Ｒｉｃｈ  Ｓｉｔｅ  Ｓｕｍｍａｒｙ」の略）図６を利用して成り立つ発明であり、大きなデータベースでも大量のデータを一瞬に取り入れ瞬時に計算加工し、ロスタイムを最小限に抑え、パラメータも順次自動で更新されるプログラムとなったのである。【００１８】  図６中で示すＲＳＳとはニュースサイトで「ＲＳＳ」と言う表記をよく目にするようになったが、ブログをきっかけに広まった技術であり、従来はブラウザのお気に入りに沢山のブラウザを登録して頻繁にチェックしていた、しかし、これだけ情報があふれている中、全てのサイトを巡回して情報をチェックする方法はロスタイムが大きい、いざ訪れてみても新しい情報はあったが、欲しい情報は無かったと言う事がある、情報が氾濫しているＷｅｂサイトを巡回して確認すると言うやり方では大変効率が悪い、ＲＳＳとは登録したサイトの更新した情報を取得したり、どの様に更新されたかを知る為に登場した技術であり、情報収集に非常に便利な技術である。（ソーテック社、ＲＳＳ徹底活用ガイド、より）【００１９】〈図６による本発明とＲＳＳ技術の関係の説明〉
次に、図６で示す通り本発明とＲＳＳ技術との関係を説明する、ＲＳＳの技術は上述した通りであり、予め設定しておいた情報に関してはブラウザを立ち上げなくても情報を得られると言う技術である、本発明は図２、図３で示す様に国内全市場全銘柄の株価情報がＲＳＳ図６で予め自動更新される様設定されたデータベースであり、ＲＳＳリーダープログラムを起動する事により逐次リアルタイム株価情報を更新するものである。【００２０】〈図５による本発明の概要〉
図５中で示す、リアルタイム株価情報をａ１からａ１１は時系列で示し、前場予想出来高比１０・後場予想出来高比１１・瞬間予想出来高比１２は、パラメータ１からパラメータ６の時系列で示し、パラメータ１からパラメータ６を抽出する式が含まれるプログラムをＣで示し、該Ｃを時間制御し動かしているプログラムをＢで示し、該Ｂのプログラムから該Ｃのプログラムを動かす指令のパラメータをｂ１からｂ６でしめしている。【００２１】  上述の動作を図５中で説明すると、最初に該Ｃにあたるデータベース上株価情報の欄が、インターネットからＲＳＳで最新の株価情報ａ１に置き換わる、該Ｂから該Ｃの計算加工をするプログラムを動かす指令のパラメータｂ１が出る、該Ｃのデータベース上で加工計算がされパラメータ１が自動で抽出される、最新の株価情報ａ２に置き換わる、前回の計算加工後の数秒から１２０秒の間の一定間隔後にプログラム該ＣのデータベースにプログラムＢよりパラメータｂ２の指令が出て、該Ｃの計算加工を実行させ、該Ｃはパラメータ２を自動で抽出する、この様に次々と新しい株価情報に置き換わって行く該Ｃで示すデータベースは、該Ｂのプログラムから一定間隔の後、指令のパラメータを受け取り順にパラメータ１からパラメータ６へと順次時系列で抽出する様一定間隔でループするシステムとなっている。【００２２】〈図４による本発明の概要〉
図４で示す、ＲＳＳ対応の国内全市場全銘柄のデータベースを含む本発明プログラムにおいて、インターネット４１よりＲＳＳで前日比２４・出来高３３・前日出来高比３４・前々日出来高比３５・最良売気配数量３９・最良買気配数量４０が更新され、本発明プログラムを動かす時計プログラムＢによって、前場予想出来高比１０・後場予想出来高比１１・瞬間予想出来高比１２が抽出され、並べ替えボタン１９・２０・２１をマウス又はショートカットキーを使い押す事により、並べ替え４２が行われ最良売買銘柄が選ばれる。【００２３】次に、本発明に係るデイトレーダー向け株式投資支援プログラムの実施例について説明する。【００２４】〈本発明のインストールと準備〉
本発明をインストールするには、本発明のプログラムが収められている本発明ＣＤをコンピュータのＣＤドライブに挿入する、次に自動でインストールが始まり、全てをインストールすると自動で完了し、本発明アイコンとＲＳＳリーダーのアイコンが画面に登録される。【００２５】〈本発明を起動する〉
本発明をインストールが終わり、画面に本発明アイコンと、ＲＳＳリーダーのアイコンがあるが、先にＲＳＳリーダーのアイコンをマウスでクリックすると、ＲＳＳリーダーが起動する。【００２６】〈本発明画面の調整とメインメニュー〉
次に、本発明のアイコンをクリックして本発明を起動する、次に図１で示す本発明メインメニューが画面に現れる、画面には、画面の大きさを変更するボタンが設置されており、７５％、８０％、９０％、１００％の４つの中から画面にあった設定が出来る、画面には２０程度のボタンが設定されていて東証・大証・マザーズ・ヘラクレス・ジャスダック等の全国の市場の各データベースへとジャンプする様になっている。【００２７】〈データベースの表示と画面の調整〉
次に図２、図３で示す（図２、図３は画面上一つである）各市場のデータベースにジャンプする、データベースの画面は行ごとに各銘柄が並べられており、列ごとに左から右方向に計算加工され算出された比率が表示される、前場予想出来高比１０・後場予想出来高比１１・瞬間予想出来高比１２・瞬間予想出来高比時系列１３が４列以上、ＲＳＳで処理されるリアルタイム株価情報である最良売り気配数量２２・最良買い気配数量２３、行のタイトルである銘柄コード１４・銘柄１５、ＲＳＳで処理されるリアルタイム株価情報である現在値１６・前日比２４・前日比時系列２５が８列以上・出来高３３・出来高時系列３４が２列以上・前場出来高２６、加工計算して算出される後場出来高２７、計算加工され算出される前日出来高３２・前場予想出来高３０・後場予想出来高３１・値上下２８・前々日出来高３５・前場後場予想出来高比時系列を複数列おく場合もある、画面には、画面の大きさを変更するボタンが設置されており、７５％、８０％、９０％、１００％の４つの中から画面にあった設定が出来る、画面は、全体をスクロールして見渡す事は可能である、その際重要な表示部であるヘッダー部分は隠れる事は無い。【００２８】〈本発明の前場開始〉
次に、図２・図３で示すとおり、画面に表示されている前場開始ボタン１７をマウス又は、ショートカットキーを使用し押すと、本発明は図４又は図５で示す通り、現在値１６・前日比２４・出来高３３・前場出来高２６の数値を数秒から１２０秒程度の一定間隔で自動計算加工をするプログラムＢが作動し、前場予想出来高比１０、後場予想出来高比１１の比率を抽出し表示する、又、上記一定間隔で瞬間予想出来高時系列１３が４列以上、前日比時系列２５が８列以上、出来高時系列３４が２列以上、前場予想出来高比時系列・後場予想出来高比時系列の各欄に前述した数秒から１２０秒程度の一定間隔で記録されていく。【００２９】〈前場予想出来高比の計算式〉
本発明を使用する日の前場の中の出来高３３を一日の出来高に換算した前場予想３０に抽出される、リアルタイムで推移する該前場予想３０を前日出来高３２または、過去２日以上の出来高を合計してその日数で割った平均値で割ったものが前場予想出来高比１０と言う比率となる、該前場予想出来高比１０は、他の銘柄と比較して大きい数値程ユーザーの投資対象として良い銘柄である事を示す、本発明独自の比率として採用した。【００３０】〈後場予想出来高比の計算式〉
本発明を使用する日の後場の中の出来高３３を一日の出来高に換算した後場予想３１に抽出される、リアルタイムで推移する該後場予想３１を前日出来高または、過去２日以上合計してその日数で割った平均値で割ったものが後場予想出来高比１１と言う比率となる、該後場予想出来高比１１は、他の銘柄と比較して大きい数値程ユーザーの投資対象として良い銘柄である事を示す、本発明独自の比率として採用した。【００３１】〈瞬間予想出来高比の計算式〉
本発明第４手段において、数秒から１２０秒の一定間隔の時間の中で表示される約定した出来高３３の合計を最良売り気配数量２２、または最良買い気配数量２３で割ったものにｎ倍（ｎは任意の数値）したものを瞬間予想出来高比１２であり、数値が他の銘柄と比較して大きい数値で、しかも瞬間予想出来高比時系列１３でその状態が長く続く程ユーザーの投資対象として良い銘柄である事を示す、本発明独自の比率として採用した。【００３２】〈数値の表示または文字での表示方法〉
本発明において、前場予想出来高比１０、後場予想出来高比１１、瞬間予想出来高比１２、瞬間予想出来高比時系列、前日比２４、前日比時系列の数値は２５、比率が文字の色、サイズ、種類によって変えるプログラムを有し、一目で容易に確認出来る様に表示する、また、良好な数値が出ている場合「買い」と表示させたり、信用売りが可能な銘柄は「売り」と表示を示す事も可能である、また、前日比時系列が右肩上がりならば「○」、「◎」「●」と３段階で表示し、ユーザーが簡単に銘柄の動向が判断出来る様にも出来る、数値のみか文字表示かはユーザーが設定で選択出来る、また、「買い」のサインが出た際、自動で買い注文を入れたり、「売り」サインが出た際に信用売りの注文が出来る銘柄に対して信用売りを自動で注文をし、約定した場合、任意の指値で「売り」又は「買い戻し」をする事もユーザー設定で可能である。【００３３】〈銘柄の並べ替え〉
市場が開かれている間、本発明を稼動させ、画面を監視し、必要な時にボタンをマウス又はショートカットキーで押し、銘柄の並べ替えをする、前場での並べ替えは前場予想出来高比１０の大きな数値から降順で並べ替えをしたり、瞬間予想出来高比１２の大きな数値から降順で並べるかは、その時の状況でユーザーが選ぶ、並べ替え４３をするとデータベースの為見えなかった位置から、前場予想出来高比１０、後場予想出来高比１１、瞬間予想出来高比１２の高い数値の銘柄が瞬時に上位に並び、注目銘柄だけが画面を通してユーザーの視覚に容易に入る様表示する。【００３４】〈銘柄のニュースを調べる〉
ユーザーが本発明を監視している際、前述の前場予想出来高比１０、後場予想出来高比１１、瞬間予想出来高比１２の高い銘柄がどの様な理由で比率が高いのか、何の材料も無く取引されている事もあるが、理由があって取引されている場合もある、その場合その後の株価に影響が出る可能性が大きいのでユーザーは知る必要もある、その場合ユーザーは、該銘柄１５や該銘柄コード１４をマウスで押すと該銘柄のニュースがＲＳＳリーダーで常に最新のニュースに更新されているウインドウが開き、該銘柄のニュースの情報が見る事が出来る様になっている、この情報を知る事によりユーザーは該銘柄の材料を投資に反映させる事ができ、情報は特定の情報源を利用する他、インターネット全般からの情報を得る事も含む。【００３５】〈前場の終了〉
前場が終ったら、本発明の終了のボタンをマウス又はショートカットキーで押すと、自動で計算加工や記録をするプログラムを数秒から１２０秒程の一定間隔で繰り返し実行させるプログラムを終了させる、終了ボタンが押されると自動で前場出来高が記録され、出来高のリアルタイム株価情報の出来高は後場出来高に移る、また前場出来高をリアルタイム株価情報として取得出来ない銘柄については、操作とともに前場出来高が記録される。【００３６】〈後場の開始〉
後場の市場が始まる前に、本発明の各データベース画面の開始ボタンを押す、本発明の動作は前場とほぼ同じである。【００３７】〈後場の終了〉
３時になり、市場が終了したら終了のボタンをマウス又はショートカットキーで押すと数秒から１２０秒程度の一定間隔で時間制御されていた計算加工は終了する。【００３８】〈翌日の使用の為の準備〉
出来高リセットのボタンをマウス又はショートカットキーで押すとその日の確定した全銘柄の出来高が全銘柄の前日出来高の欄に、前日出来高は、前々日出来高の欄に自動で入力される、尚、この操作は終了のボタンをマウス又はショートカットキーで押された時点で出来高リセットボタンを押される様に設定する事も可能、これで翌日の準備も完了した。
【図面の簡単な説明】
【００３９】
【図１】本発明を起動すると真っ先に出てくる画面であり、その構成は７市場の呼び出しボタンが設置されている図である。
【図２】メインメニューの各市場の選択ボタンを押すと、次に現れてくるデータベースの画面の左側の部分の図である。
【図３】メインメニューの各市場の選択ボタンを押すと、次に現れてくるデータベースの画面の右側の部分の図である。
【図４】本発明の計算式とそのフローチャートである。
【図５】本発明の時間制御のフローチャートである。
【図６】本発明が利用するＲＳＳ技術についての説明図である。
【符号の説明】
【００４０】１  東証一部１呼び出しボタン
２  東証一部２呼び出しボタン
３  東証一部３呼び出しボタン
４  東証二部１呼び出しボタン
５  東証二部２呼び出しボタン
６  大証呼び出しボタン
７  マザーズ呼び出しボタン
８  ヘラクレス呼び出しボタン
９  ジャスダック呼び出しボタン
１０  前場予想出来高比
１１  後場予想出来高比
１２  瞬間予想出来高比
１３  瞬間出予想来高比時系列
１４  銘柄コード
１５  銘柄
１６  現在値
１７  前場開始ボタン
１８  後場開始ボタン
１９  率並べ替えボタン
２０  前場並べ替えボタン
２１  後場並べ替えボタン
２２  最良売り気配数量
２３  最良買い気配数量
２４  前日比
２５  前日比時系列
２６  前場出来高
２７  後場出来高
２８  値上下
２９  出来高リセットボタン
３０  前場予想出来高
３１  後場予想出来高
３２  前日出来高
３３  出来高
３４  出来高時系列
３５  前々日出来高
３６  前場経過時間
３７  後場経過時間
３８  市場営業時間
３９  最良買い気配数量
４０  最良売り気配数量
４１  インターネット
４２  並べ替え
４３  最良売買銘柄
Ａ  インターネット株価情報
Ｂ  本発明プログラムを動かす時計プログラム
Ｃ  本発明プログラム
Ｄ  ＲＳＳ対応の国内全市場全銘柄のデータベースを含む本発明プログラム
Ｅ  前場予想出来高比抽出の式
Ｆ  後場予想出来高比抽出の式
Ｇ、Ｈ  瞬間予想出来高比抽出の式
ａ１〜ｂ１１  ＲＳＳで更新されるリアルタイム株価情報
ｂ１〜ｂ６  本発明プログラムを自動制御するパラメータ
ｃ１〜ｃ６  パラメータ１からパラメータ６
ｎ  任意の数
ｐ  一定間隔の中での出来高
【図１】
2007157096.tif 000003
【図２】
2007157096.tif 000004
【図３】
2007157096.tif 000005
【図４】
2007157096.tif 000006
【図５】
2007157096.tif 000007
【図６】
2007157096.tif 000008